(57)【要約】    【課題】  簡単で手間がかからず、かつオイル垂れを防止し得るタッピングオイル塗布装置を提供すること。    【解決手段】  タップＡをハウジング１０のタップ挿入口１４から挿入すると、その挿入動作に連動してハウジング１０内の一次側移動部材２０が移動し、この移動によって連動部材３０が揺動し、さらに連動部材３０の揺動により二次側部材４０が移動して、タッピングオイル充填槽５０内部に侵入する。そして、ハウジングオイル充填槽５０の内部空間が二次側部材４０の侵入によりその空間容積が狭められることにより、空間が狭められた分の余剰のタッピングオイルがオイル塗布管６０から外部に放出され、この放出されたオイルがタップＡに塗布される。【選択図】  図１
2006088065.tif 000002
【特許請求の範囲】
【請求項１】
タップにタッピングオイルを塗布するためのタッピングオイル塗布装置であって、
タップが挿入されるタップ挿入口が形成されたハウジングと、
前記ハウジング内に配置され、タップが前記タップ挿入口から前記ハウジング内に挿入される挿入動作に連動して前記ハウジング内を移動する一次側移動部材と、
一端及び該一端よりも下方に位置する他端を備え、該一端と他端との間に形成される揺動中心を中心として前記ハウジング内で揺動可能に軸支されるとともに、前記一次側移動部材に前記一端側で係合された連動部材と、
前記ハウジング内に配置され、前記連動部材の前記他端側に係合されるとともに、前記連動部材の揺動動作に伴って移動可能な二次側移動部材と、
該ハウジング内に配置され、内部にタッピングオイルが充填される充填空間を有するとともに、前記二次側移動部材が前記充填空間に侵入するように挿通可能な第１開口が形成されたタッピングオイル充填槽と、
前記充填空間に連通し前記ハウジング内に挿入されたタップに向かって開口する開口端を有するオイル塗布管と
を具備することを特徴とする、タッピングオイル塗布装置。
【発明の詳細な説明】
【技術分野】
【０００１】
本発明は、タップに潤滑性のタッピングオイルを塗布するためのタッピングオイル塗布装置に関する。
【背景技術】
【０００２】
タップは、ネジ加工を行う際に必要となる工具であるが、使用頻度や使用条件によりタップのネジ山がだれるなどしてネジ加工品質が劣化することを防止するために、タッピングオイルを塗布してからネジ加工を行う場合が多い。このタッピングオイル塗布作業は、作業者が手作業で行っている。また、タッピングオイルをスポット的に給油するための給油機も開発されている（非特許文献１参照）
【非特許文献１】大昭和精機株式会社  総合カタログ  Vol．４  ツーリング偏 ２０１頁    スポットオイラー
【発明の開示】
【発明が解決しようとする課題】
【０００３】
しかしながら、作業者が手作業でタッピングオイルの塗布を行うと、時間がかかる上、タッピングオイルが垂れるなどして作業場を汚染するという問題がある。また、非特許文献１に記載の給油機にしても、タップに給油機を照準させるための作業工数がかかる上、タッピングオイル漏れの問題は手作業の場合と同様である。
【０００４】
ゆえに、本発明は、上記実情に鑑みてなされたものであり、簡単で手間がかからず、かつオイル垂れを防止し得るタッピングオイル塗布装置を提供することを、技術的課題とするものである。
【課題を解決するための手段】
【０００５】
上記技術的課題を解決するために講じた請求項１の発明は、
タップにタッピングオイルを塗布するためのタッピングオイル塗布装置であって、
タップが挿入されるタップ挿入口が形成されたハウジングと、
前記ハウジング内に配置され、タップが前記タップ挿入口から前記ハウジング内に挿入される挿入動作に連動して前記ハウジング内を移動する一次側移動部材と、
一端及び該一端よりも下方に位置する他端を備え、該一端と他端との間に形成される揺動中心を中心として前記ハウジング内で揺動可能に軸支されるとともに、前記一次側移動部材に前記一端側で係合された連動部材と、
前記ハウジング内に配置され、前記連動部材の前記他端側に係合されるとともに、前記連動部材の揺動動作に伴って移動可能な二次側移動部材と、
該ハウジング内に配置され、内部にタッピングオイルが充填される充填空間を有するとともに、前記二次側移動部材が前記充填空間に侵入するように挿通可能な第１開口が形成されたタッピングオイル充填槽と、
前記充填空間に連通し前記ハウジング内に挿入されたタップに向かって開口する開口端を有するオイル塗布管と
を具備することを特徴とする、タッピングオイル塗布装置としたことである。
【発明の効果】
【０００６】
請求項１の発明によれば、タップがハウジングのタップ挿入口から挿入されると、その挿入動作に連動してハウジング内の一次側移動部材が移動する。一次側移動部材は連動部材の一端側に係合しているため、この移動によって連動部材も動作するが、連動部材は揺動中心にてハウジングに軸支されているため、一次側移動部材の移動に伴い連動部材は揺動する。一方、連動部材の他端側には二次側移動部材が係合しているため、この連動部材の揺動により二次側部材が移動し、第１開口よりハウジング内のタッピングオイル充填槽内部の充填空間内に侵入する。すると、ハウジングオイル充填槽の充填空間は、二次側移動部材の侵入によりその空間容積が狭められ、余剰のタッピングオイルがオイル塗布管から外部に放出される。オイル塗布管は、ハウジング内に挿入されたタップに向かって開口しているので、オイル塗布管から外部に放出されたタッピングオイルは開口端よりタップに向かって放射され、タップへのタッピングオイルの塗布が実行される。
【０００７】
本発明におけるタッピングオイル塗布装置においては、上記したように、タップの挿入動作に連動してタッピングオイルがタップに塗布されるようになっており、タップを装置に挿入するだけという簡単な動作でタッピングオイルの塗布を実現する。これにより、手作業で塗布することによる作業工数を大幅に低減することができる。また、装置内でタッピングオイルを塗布するため、オイルが漏れて作業環境を汚染する心配もない。
【発明を実施するための最良の形態】
【０００８】
以下に、本発明の実施の形態を、図面を参照して詳細に説明する。
【０００９】
図１は、本例のタッピングオイル塗布装置を正面から見た概略図である。図において、本例のタッピングオイル塗布装置１００は、ハウジング１０と、一次側移動部材２０と、連動部材３０と、二次側移動部材４０と、タッピングオイル充填槽５０と、オイル塗布管６０とを備えて構成される。
【００１０】
ハウジング１０は、直方体形状に形成されており、底壁１１、及び四方の側壁１２ａ、１２ｂ、１２ｃ、１２ｄ（図３参照）を備える。尚、天壁は、あってもなくても良い。また、本例においてはその寸法を、幅６５ミリメートル、高さ２００ミリメートル、奥行１６０ミリメートルとしている。
【００１１】
図１に示すように、ハウジング１０の側壁１２ａには、タップ挿入口１４が形成されている。このタップ挿入口１４からは、タッピングオイルを塗布されるべきタップＡがハウジング１０内に挿入される。
【００１２】
また、ハウジング１０の側壁１２ｃには、上側ＬＭ（直動）ガイド１５及び下側ＬＭ（直動）ガイド１６が取り付けられている。上側ＬＭガイド１５は、一次側移動部材２０の直動動作をガイドするものであり、下側ＬＭガイド１６は、二次側移動部材４０の直動動作をガイドするものである。これら両ガイド１５及び１６は、本例においては水平方向に平行に取り付けられているが、本発明の作用効果を実現する限りにおいては、水平方向でなくても、また平行でなくても良い。
【００１３】
一次側移動部材２０は、ガイド部２１及び当接部２２とを備えて構成されている。ガイド部２１は、上側ＬＭガイド１５と嵌合している部分であり、この部分と上側ＬＭガイド１５との嵌合によって、一次側移動部材２０の水平方向への直動性が確保される。また、当接部２２は、図１に示すように上側ＬＭガイド１５におけるガイド端（図示右側端）において、ハウジング１０に形成されたタップ挿入口１４に侵入し、タップ挿入口１４をふさいでいる状態となっている。従って、タップＡをタップ挿入口１４からハウジング１０内に挿入させようとすると、タップＡによって当接部２２が押され、これによりタップＡの挿入動作に連動して一次側移動部材２０が水平方向に移動されるようになっている。
【００１４】
連動部材３０は、長尺状の部材であり、一端３１及び他端３５を備える。一端３１側には、第１係止ピン３２が取り付けられており、この第１係止ピン３２には、第１回転ローラ３３が、第１係止ピン３２を軸として回転自在に取り付けられている。そして、図１に示すように、第１回転ローラ３３の回転面は、一次側移動部材２０のガイド部２１の先端と当接されている。
【００１５】
連動部材３０の一端３１と他端３５との間の位置（本例では両端のほぼ中心位置）には、中心孔が形成されており、この中心孔に固定ピン３４が挿通されている。固定ピン３４は、ハウジング１０の対向する側壁１３ｃ、１３ｄに両端が固定されている。従って、連動部材３０は、固定ピン３４を中心として一端３１側及び他端３２側が揺動可能に構成されている。
【００１６】
連動部材３０の他端３５側は、図１からわかるように一端３１よりも下方に位置している。また、他端３５側には、第２係止ピン３６が取り付けられており、この第２係止ピン３６には、第２回転ローラ３７が、第２係止ピン３６を軸として回転自在に取り付けられている。
【００１７】
二次側移動部材４０は、ガイド部４１及びと押出部４２とを備えて構成されている。ガイド部４１は、下側ＬＭガイド１６と嵌合している部分であり、この部分と下側ＬＭガイド１６との嵌合によって、二次側移動部材４０の水平方向への直動性が確保される。尚、図１に示すように、第２回転ローラ３７の回転面は、二次側移動部材４０のガイド部４１の先端と当接されている。
【００１８】
タッピングオイル充填槽５０は、ハウジング１０の図示下部の一方隅に形成されており、内部にタッピングオイルの充填空間５１を形成している。また、側壁には第１開口５２が、上壁には第２開口５３が形成されており、それぞれの開口５２、５３は共に充填空間５１に連通している。また、二次側移動部材４０の押出部４２は、図からわかるようにタッピングオイル充填槽５０の第１開口５２に面して配置されている。従って、二次側移動部材４０が図１において右側に水平に移動すると、押出部４２が第１開口５２からタッピングオイル充填槽５０の充填空間５１内に侵入し、充填空間５１の空間容積を狭める。
【００１９】
また、タッピングオイル充填槽５０の第２開口５３には、オイル塗布管６０の一端６１が連通している。このオイル塗布管６０は、図に示すように一端６１から上方に伸びて形成された後に下向きに折り曲げられ、他端６２がハウジング１０内部の上部から下向きに開口している。この他端６２の開口部位は、タップＡがタップ挿入口１４からハウジング１０内に挿入された際のタップの真上に位置する。
【００２０】
図３は、図１における二次側移動部材４０付近を上方向から見た概略図である。図３からわかるように、二次側移動部材４０のガイド部４１には、Ｔ字状のストッパ部材４３が取り付けられている。一方、ハウジング１０の側壁１２ｂには、Ｌ字状のストッパ部材４４が取り付けられている。これらのＴ字状のストッパ部材４３とＬ字状のストッパ部材４４との間に、スプリング４５が取り付けられている。このスプリング４５は、収縮方向（図示左方向）に付勢力を発生するように、両ストッパ部材４３、４４に取り付けられる。従って、スプリング４５の付勢力によって、二次側移動部材４０が常に図示左方向、すなわち、押出部材４２がタッピングオイル充填槽５０から遠ざかる方向に付勢される。さらに、二次側移動部材４０の付勢力を受けて、連動部材３０が図１において時計回り方向に揺動するように付勢される。この連動部材３０の揺動付勢により、一次側移動部材２０が、図示右方向へ付勢され、一時側移動部材２０が右方向へ移動しようとする。しかしながら、図１の状態は、一次側移動部材２０が上側ＬＭガイド１５のガイド端に当接している状態であり、これ以上一次側移動部材２０が図示右方向に進行することはできない。従って、通常の待機状態として、図１の状態が維持される。
【００２１】
上記構成のタッピングオイル塗布装置１００において、以下にその作動について、図１〜図４を用いて説明する。尚、図１及び図３は、タッピングオイルをタップＡに塗布する前の状態を示す図、図２及び図４は、タッピングオイルをタップＡに塗布している際の状態を示す図である。
【００２２】
まず、ハウジング１０内にタッピングオイルを充填する。この場合において、オイル液面が、少なくともタッピングオイル充填槽５０の第１開口５２の上縁よりも高い位置となるようにタッピングオイルを充填する必要がある。これよりもオイル充填量が少ないと、タッピングオイル充填槽５０内にタッピングオイルが十分に充填されないからである。また、オイル液面が、ハウジング１０に形成されたタップ挿入口１４の下縁よりも低い位置となるようにオイル充填量を制限する必要がある。これよりも高い位置となると、タッピングオイルがタップ挿入口１４から漏れ出すからである。
【００２３】
ハウジング１０内にタッピングオイルが充填されると、充填されたオイルはタッピングオイル充填槽５０内にも侵入し、充填槽５０内の充填空間５１がタッピングオイルで充填される。このような状態で、図１に示すように、タッピングオイルを塗布すべきタップＡをタップ挿入口１４からハウジング１０内に挿入する。タップ挿入口１４には、第１移動部材２０の当接部２２が配置されているので、タップＡの挿入動作に伴って当接部２２がタップＡにより押される。このときの押圧力がスプリング４５による付勢力を上回れば、タップＡはスプリング４５の付勢力に抗してハウジング１０内に挿入される。
【００２４】
タップＡがハウジング１０内に挿入されると、タップＡに当接している当接部２２が図１において左方向に移動する。これに伴って一次側移動部材２０が上側ＬＭガイド１５にガイドされて水平左方向に移動する。
【００２５】
上述したように、一次側移動部材２０のガイド部２１には、連動部材３０の一端３１側の第１係止ピン３２に取り付けられた第１回転ローラ３３が係合しているため、一次側移動部材２０の移動力が第１回転ローラ３３を介して連動部材３０に伝わる。ここで、連動部材３０は固定ピン３４によりハウジング１０に固定されているために、一次側移動部材２０の移動動作が固定ピン３４を中心とした揺動動作に変換され、連動部材３０が固定ピン３４を中心として図示反時計回り方向に揺動する。この場合において、一次側移動部材２０の直線運動と、連動部材３０の回転揺動運動との運動方向の違いによって第１回転ローラ３３が一次側移動部材２０と係合するポイントがずれていく（図１から図２に向かうにつれて係合部分が上方向にシフトしていく）が、このずれは、第１回転ローラ３３が回転することで吸収される（なお、回転ローラが回転していなくても、すべりによって吸収される態様であっても良い）。
【００２６】
連動部材３０の反時計回り方向の揺動動作は、連動部材３０の他端側に配置された第２回転ローラ３７に係合した二次側移動部材４０に伝達される。そして、連動部材３０の揺動動作に伴って、二次側移動部材４０が下側ＬＭガイド１６にガイドされて水平右方向に移動する。このとき、二次側移動部材４０の直線運動と、連動部材３０の回転揺動運動との運動方向の違いによって、第２回転ローラ３７が二次側移動部材４０と係合するポイントがずれていく（図１から図２に向かうにつれて係合部分が下方向にシフトしていく）が、このずれは、第１回転ローラ３７が回転することで吸収される（なお、回転ローラが回転していなくても、すべりによって吸収される態様であっても良い）。
【００２７】
上記のようにして二次側移動部材４０が図示右方向に移動すると、二次側移動部材４０の押出部４２がタッピングオイル充填槽５０の第１開口５２から充填空間５１内に入り込む。これにより、タッピングオイル充填槽５０の充填空間５１の空間容積が狭められる。空間容積が狭められた分、余剰となった内部のタッピングオイルは第２開口５３からオイル塗布管６０を経て、オイル塗布管６０の他端の開口端６２から放出される。オイル塗布管６０の他端開口端６２は、タップ挿入口１４から挿入されたタップＡに面しているので、オイル塗布管６０から外部に放出されたタッピングオイルはこのタップＡに塗布される。このようにして、タップＡへのタッピングオイルの塗布が実現される。尚、このときタップＡから垂れ落ちたタッピングオイルはハウジング１０内に充填されたタッピングオイルと混ざる。
【００２８】
タップＡへのタッピングオイルの塗布が完了した後、タップＡをタップ挿入口１４から引き抜くと、スプリング４５の付勢力に抗する力が解除されるため、スプリング４５の収縮方向への付勢力によって、二次側移動部材が図２において図示左方向へ移動させられる。これに伴い、連動部材３０が時計回り方向へ揺動する。さらに、この揺動動作に伴い、一次側移動部材２０が図示右方向に移動する。これにより、図２の状態から図１の状態に戻る。
【００２９】
図２の状態から図１の状態に戻る際に、二次側移動部材４０の押圧部４２は、タッピングオイル充填槽５０の充填空間５１の内部から第１開口５２を経て外部に出る。このため、充填空間５１内の空間容積が拡大するが、拡大した分のタッピングオイルが第１開口５２と押圧部４２との隙間から充填空間５１内に流れ込む。そして、次回のタッピングオイルの塗布に備える。
【００３０】
以上のように、本例のタッピングオイル塗布装置１００は、タップＡが挿入されるタップ挿入口１４が形成されたハウジング１０と、ハウジング１０内に配置されてタップＡがタップ挿入口１４からハウジング１０内に挿入される挿入動作に連動してハウジング１０内を移動する一次側移動部材２０と、一端３１及びこの一端３１よりも下方に位置する他端３５を備え、一端３１と他端３５との間に形成される揺動中心（固定ピン３４）を中心としてハウジング１０内で揺動可能に軸支されるとともに一次側移動部材２０に一端３１側で係合された連動部材３０と、ハウジング１０内に配置されて連動部材３０の他端３５側に係合されるとともに連動部材３０の揺動動作に伴って移動可能な二次側移動部材４０と、ハウジング１０内に配置されて内部にタッピングオイルが充填されるとともに二次側移動部材４０が充填空間５１に侵入するように挿通可能な第１開口５２が形成されたタッピングオイル充填槽５０と、タッピングオイル充填槽５０の充填空間５１に連通しハウジング１０内に挿入されたタップＡに向かって開口する開口端（他端開口端６２）を有するオイル塗布管６０とを具備する。
【００３１】
従って、タップＡがハウジング１０のタップ挿入口１４から挿入されると、その挿入動作に連動してハウジング１０内の一次側移動部材２０が移動し、この移動によって連動部材３０が揺動し、さらに連動部材３０の揺動により二次側部材４０が移動して、タッピングオイル充填槽５０内部に侵入する。そして、ハウジングオイル充填槽５０の内部空間が二次側部材４０の侵入によりその空間容積が狭められることにより、空間が狭められた分の余剰のタッピングオイルがオイル塗布管６０から外部に放出される。オイル塗布管６０は、ハウジング１０内に挿入されたタップＡに向かって開口しているので、オイル塗布管６０から外部に放出されたタッピングオイルは開口端（他端６２）よりタップＡに向かって放射され、タップＡへのタッピングオイルの塗布が実行される。
【００３２】
すなわち、本例のタッピングオイル塗布装置１００は、タップの挿入動作に連動してタッピングオイルがタップに塗布されるようになっており、タップを装置に挿入するだけという簡単な動作でタッピングオイルの塗布を実現する。これにより、手作業で塗布することによる作業工数を大幅に低減することができる。
【００３３】
また、本例においては、連合部材３０の揺動中心を、ほぼ中央としているが、これを適宜ずらすことも可能である。例えば、揺動中心（固定ピン３４の位置）を、他端３２側にずらせば、テコの原理によって、タップＡを挿入する際の力がわずかであってもタッピングオイルを塗布することができる。一方、一端３１側にずらせば、タップＡを挿入する力はある程度必要であるが、わずかの挿入量で大量のタッピングオイルを塗布することができる。
【図面の簡単な説明】
【００３４】
【図１】本発明の実施形態における、タッピングオイル塗布装置のオイル塗布前の状態を示す概略正面図である。
【図２】本発明の実施形態における、タッピングオイル塗布装置のオイル塗布中の状態を示す概略正面図である。
【図３】図１の状態において、二次側移動部材４０付近の構成を示す概略上面図である。
【図４】図２の状態において、二次側移動部材４０付近の構成を示す概略上面図である。
【符号の説明】
【００３５】
１０：ハウジング
２０：一次側移動部材
２１：ガイド部
２２：当接部
３０：連動部材
３１：一端
３４：固定ピン（揺動中心）
３５：他端
４０：二次側移動部材
４１：ガイド部
４２：押出部
５０：タッピングオイル充填槽
６０：オイル塗布管
６２：他端開口
１００：タッピングオイル塗布装置
【図１】
2006088065.tif 000003
【図２】
2006088065.tif 000004
【図３】
2006088065.tif 000005
【図４】
2006088065.tif 000006